(57)【特許請求の範囲】
【請求項１】
薬剤が充填されている薬剤収納容器から前記薬剤を患者に送液するための医療用ポンプであって、
薬剤ライブラリと該薬剤ライブラリを利用して薬剤投与した投与実績に関する記録が医療機関の病棟ごとに記憶されている前記薬剤ライブラリのデータベースから使用頻度の高い複数の薬剤情報を選択してダウンロードして記憶する記憶部、表示部、制御部を備え、
前記制御部の指示により、前記薬剤ライブラリから選択された各前記薬剤の名称欄には、薬剤の名称とともに、当該薬剤に対応した識別用の色分けを施した表示色を前記表示部に表示するものであり、前記制御部が、前記医療機関である病院の前記病棟ごとに過去の投与実績から危険度が最も高いものを赤色で表示する構成としたことを特徴とする医療用ポンプ。
【請求項２】
前記薬剤収納容器には薬剤識別ラベルが配置され、前記表示部に表示される各前記薬剤の名称欄の名称と前記薬剤収納容器内に充填されている前記薬剤の名称とが同じである場合には、前記表示部に表示される各前記薬剤の名称欄の表示色と、前記薬剤収納容器の前記薬剤識別ラベルの表示色が同じ色であることを特徴とする請求項１に記載の医療用ポンプ。
【請求項３】
前記医療用ポンプがシリンジポンプであり、前記薬剤収納容器がシリンジであり、シリンジ設定部にクランプで固定してセットされ、薬剤の収容量が２．５ｍＬ，５ｍＬ，１０ｍＬ，２０ｍＬ，３０ｍＬ，５０ｍＬのいずれかの前記シリンジから前記薬剤を患者に送液するものであり、前記２．５ｍＬ，５ｍＬ，１０ｍＬ，２０ｍＬ，３０ｍＬ，５０ｍＬの薬剤の収容量のいずれの前記シリンジでも前記クランプで前記シリンジ設定部に固定してセットできるように前記シリンジ設定部の収容部の右端部の一部に切欠部を設けたことを特徴とする請求項１または２のいずれかに記載の医療用ポンプ。
【発明の詳細な説明】
【技術分野】
【０００１】
本発明は、患者へ薬剤等を送液するための医療用ポンプに関する。
【背景技術】
【０００２】
医療用ポンプであるシリンジポンプ，輸液ポンプは、例えば集中治療室（ＩＣＵ）等で使用されて、患者に対して抗癌剤、麻酔剤、化学療法剤、輸血等、栄養剤等の薬剤の送液処置を、高い精度で比較的長時間行うことに用いられている。シリンジポンプの薬剤の流量制御は、他の輸液ポンプに比較して精密で優れている。
すなわち、薬剤を充填したシリンジ本体は、シリンジポンプに対してクランプを用いて動かないようにセットされ、シリンジポンプは、シリンジ押子を押圧してシリンジ本体内の薬剤を正確に患者側に送液するようになっている(特許文献１を参照)。
【先行技術文献】
【特許文献】
【０００３】
【特許文献１】特開２０１０−８８５６４号公報
【発明の概要】
【発明が解決しようとする課題】
【０００４】
ところで、上述したシリンジポンプで送液しようとする薬剤の種類は多数あり、薬剤ライブラリには、例えば数千種類、一例として３０００種類の薬剤が予め、ホストコンピュータ等に登録されている。この薬剤ライブラリとは、薬剤名を含む薬剤の投与設定群のことであり、予めデータベース化されたものである。医療用ポンプであるシリンジポンプ，輸液ポンプに対しては、薬剤ライブラリのデータベースから、必要とする薬剤の種類を選択して使用するができる。シリンジポンプ，輸液ポンプは、その選択した薬剤を患者に、設定された注入速度（ｍＬ／ｈ），注入量（ｍＬ）で送液する。この薬剤ライブラリを用いることにより、注入速度（ｍＬ／ｈ），注入量（ｍＬ）の設定ミスによる誤投与の防止が図られるというメリットはある。
【０００５】
しかし、薬剤ライブラリに含まれている薬剤の種類がかなり多いので、医療用ポンプであるシリンジポンプ，輸液ポンプを使用する側では、必要とする薬剤の種類を選択しづらくしかも選択ミスを起こすおそれもある。薬剤ライブラリに含まれている多数の薬剤を分類する１つの方法としては、病棟毎に選択できる薬剤ライブラリを絞り込むプロファイル作業を行うことが考えられる。このプロファイルとは、選択可能な薬剤ライブラリの絞り込みにしようするための分類を記載しており、一般的には病棟毎名を入れて使用する。この病棟毎に選択できる薬剤ライブラリの中に多数の種類の薬剤が含まれており、医療従事者が、シリンジポンプ，輸液ポンプにおいてこれらの多数の種類の薬剤から必要とする薬剤を選択して送液する場合に、十分に薬剤の種類を確認しなければならない。このため、医療従事者が、シリンジポンプ，輸液ポンプにおいて多数の種類の薬剤から必要とする薬剤を選択する際に、視覚的に確認することで薬剤の選択ミスを防ぐことが望まれている。
そこで、本発明は、医療従事者が、医療用ポンプであるシリンジポンプ，輸液ポンプにおいて必要とする薬剤を選択する際に、薬剤の種類を目視で確認して薬剤の選択ミスを視覚的に確実に防ぐことができるようにした医療用ポンプを提供することを目的とする。
【課題を解決するための手段】
【０００６】
本発明の医療用ポンプは、薬剤が充填されている薬剤収納容器から前記薬剤を患者に送液するための医療用ポンプであって、薬剤ライブラリを記憶する記憶部、表示部、制御部を備え、前記制御部の指示により、前記薬剤ライブラリから選択された各前記薬剤の名称欄に識別用の色分けを施した表示色で表示する表示部と、を有することを特徴とする。
上記構成によれば、医療従事者が、医療用ポンプにおいて必要とする薬剤を選択する際に、識別用の色分けを施した表示色で表示された薬剤の名称欄を目視で確認することで、薬剤の種類を目視で確認して薬剤の選択ミスを視覚的に確実に防ぐことができる。
【０００７】
好ましくは、前記表示部には、前記識別用の表示色が施された複数の前記薬剤の名称欄を含む表示欄が表示されることを特徴とする。
上記構成によれば、医療従事者は表示部に表示された表示欄を目視で確認することで、複数の薬剤の名称と対応する表示色を確認することができる。
【０００８】
好ましくは、前記表示部に表示される各前記薬剤の名称欄の表示色が互いに異なる色に設定され、注意喚起を必要とする前記薬剤の名称欄の前記表示色は、使用者の注意を特別引く色を用いることを特徴とする。
上記構成によれば、医療従事者は薬剤を使用する際に注意喚起を必要とする薬剤であることを目視で確認することができる。
好ましくは、前記使用者の注意を特別引く色として、赤色が選択されていることを特徴とする。
赤色は特に可視光の最も長波長帯にあり、特に目立ちやすい。
【０００９】
好ましくは、前記制御部は、前記注意喚起を必要とする前記薬剤の名称欄の前記薬剤を前記患者に送液する際には、前記表示部は、前記薬剤の名称欄の背景の表示状態を変更させることを特徴とする。
上記構成によれば、医療従事者は薬剤を使用する際に注意喚起を必要とする薬剤であることを目視で確認する際に、薬剤の名称欄の背景の表示状態が変わるので、この薬剤が注意喚起を必要とすることをさらに目視で確認することができる。
【００１０】
好ましくは、前記薬剤収納容器は薬剤識別ラベルが配置され、前記表示部に表示される各前記薬剤の名称欄の名称と前記薬剤収納容器内に充填されている前記薬剤の名称とが同じである場合には、前記表示部に表示される各前記薬剤の名称欄の表示色と、前記シリンジの前記薬剤識別ラベルの表示色が同じ色であることを特徴とする。
上記構成によれば、医療従事者が送液しようとして指定する薬剤の種類と、実際に使用されるシリンジ内の薬剤の種類とが一致していることを確実に目視で確認して、薬剤の選択ミスを防ぐことができる。
好ましくは、前記薬剤収納容器は、シリンジまたは輸液バッグである。
上記構成によれば、医療従事者が送液しようとして指定する薬剤の種類と、実際に使用される薬剤収納容器であるシリンジまたは輸液バッグ内の薬剤の種類とが一致していることを確実に目視で確認して、薬剤の選択ミスを防ぐことができる。
【発明の効果】
【００１１】
本発明は、医療従事者が、シリンジポンプ，輸液ポンプ等の医療用ポンプにおいて、必要とする薬剤を選択する際に、薬剤の種類を目視で確認して薬剤の選択ミスを視覚的に確実に防ぐことができる医療用ポンプを提供することができる。
【図面の簡単な説明】
【００１２】
【図１】本発明の医療用ポンプであるシリンジポンプの好ましい実施形態を示す斜視図。
【図２】図１に示す医療用ポンプであるシリンジポンプをＷ方向から見た斜視図。
【図３】表示部における情報の表示内容例を示す図。
【図４】薬剤ライブラリに関する表示欄における複数の表示例を示す図。
【図５】薬剤ライブラリに関する表示欄における複数の表示例を示す図。
【図６】薬剤ライブラリに関する表示欄における複数の表示例を示す図。
【図７】複数種類の大きさのシリンジの例を示す斜視図。
【図８】シリンジポンプ１における電気な構成例を示す図。
【図９】図１と図２に示す複数台のシリンジポンプを、設定スタンドに搭載した例を示す図。
【発明を実施するための形態】
【００１３】
以下に、本発明の好ましい実施形態を、医療用ポンプであるシリンジポンプについて、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。  図１は、本発明のシリンジポンプの好ましい実施形態を示す斜視図である。図２は、図１に示すシリンジポンプをＷ方向から見た斜視図である。
図１と図２に示すシリンジポンプ１は、例えば集中治療室（ＩＣＵ、ＣＣＵ，ＮＩＣＵ）等で使用され、患者に対して、抗がん剤、麻酔剤、化学療法剤、輸血等、ビタミン剤等の薬剤の注入処置を、高い精度で比較的長時間行うことに用いられる注入ポンプである。このシリンジポンプ１は、薬剤ライブラリから使用する薬剤を選択して、その選択した薬剤を送液するために用いられる。この薬剤ライブラリは、薬剤ライブラリデータベース（ＤＢ）において、予め登録された薬剤名を含む薬剤の投与設定群である薬剤情報である。医療従事者は、この薬剤ライブラリを用いることにより、複雑な投与設定をその都度行わなくても良く、薬剤の選択および薬剤の設定が図れる。
【００１４】
図１と図２に示すように、シリンジポンプ１は、薬剤を充填した、薬剤収納容器としてのシリンジ２００のシリンジ本体２０１を、クランプ５を用いて動かないようにセットされる。シリンジポンプ１は、シリンジ２００のシリンジ押子２０２をＴ方向に押圧してシリンジ本体２０１内の薬剤を、図２に示すようにチューブ２０３と留置針２０４を介して、患者Ｐに対して正確に送液するようになっている。
シリンジポンプ１は、本体カバー２を有し、この本体カバー２は耐薬品性を有する成型樹脂材料により一体成型されており、仮に薬剤等がかかってもシリンジポンプ１の内部に侵入するのを防ぐことができる防沫処理構造を有している。このように、カバー２が防沫処理構造を有しているのは、シリンジ本体２０１内の薬剤がこぼれたり、上方に配置されている点滴液がこぼれ落ちたり、周辺で用いる消毒液等が飛散して付着することがあるためである。
【００１５】
まず、シリンジポンプ１の本体カバー２に配置された要素について説明する。
図１と図２に示すように、本体カバー２の上部分２Ａには、表示部３と、操作パネル部４が配置されている。本体カバー２の下部分２Ｂには、シリンジ設定部６と、シリンジ押子２０２を押すためのシリンジ押子駆動部７が配置されている。
表示部３は、カラー表示することができる画像表示装置であり、例えばカラー液晶表示装置を用いている。この表示部３は、日本語表記による情報表記だけでなく、必要に応じて複数の外国語による情報の表示を行うことができる。表示部３は、本体カバー２の上部分２Ａの左上位置であって、シリンジ載置部６とシリンジ押子駆動部７の上側に配置されている。操作パネル部４は、本体カバー２の上部分２Ａにおいて表示部３の右側に配置され、操作パネル部４には、電源ＯＮ／ＯＦＦボタン４Ｆ、動作インジケータ４Ａ、操作ボタンとしては、図示例では、必要最小限の、早送りスイッチボタン４Ｂ、開始スイッチボタン４Ｃ、停止スイッチボタン４Ｄ、メニュー選択ボタン４Ｅが４ケ配置されている。
【００１６】
図１と図２に示すように、シリンジ設定部６とシリンジ押子駆動部７は、Ｘ方向に沿って並べて配置されている。シリンジ設定部６は、図７を用いて後で説明する複数種類の大きさの異なるシリンジ２００，３００，４００を、選択して着脱可能にはめ込んで固定することができる。
図１と図２に示すシリンジ設定部６は、シリンジ本体２０１を収容する収容部８と、クランプ５を有している。収容部８は、シリンジ本体２０１を収容するために、ほぼ断面半円形形状の凹部であり、Ｘ方向に沿って形成されている。収容部８の端部の壁部分には、チューブ２０３を着脱可能に挟み込むためのチューブ固定部９が形成されている。
【００１７】
クランプ５を操作してシリンジ２００をシリンジ設定部６から取り外す際には、クランプ５を図示しないスプリングの力に抗してＹ１方向（手前方向）に引っ張って、しかもＲ１方向に９０度回すことで、シリンジ本体２０１はクランプ５による固定を解除して、収容部８のチューブ固定部９内から取り外すことができる。また、クランプ５を操作してシリンジ２００をシリンジ設定部６に取り付ける際には、クランプ５を図示しないスプリングの力に抗してＹ１方向に引っ張ってＲ２方向に９０度回して、スプリングの力によりＹ２方向に戻すことで、シリンジ本体２０１は収容部８のチューブ固定部９内に収容してクランプ５により固定することができる。クランプ５により、２．５ｍＬ，５ｍＬ，１０ｍＬ，２０ｍＬ，３０ｍＬ，５０ｍＬの収容量のシリンジを固定することができるように、シリンジ載置部６の収容部８の右端部８Ｅは一部が切欠部となっている。
【００１８】
シリンジ本体２０１は収容部８のチューブ固定部９内に収容して固定されると、シリンジ押子２０２がシリンジ押子駆動部７内に配置される。このシリンジ押子駆動部７は、スライダ１０を有している。このスライダ１０は、図２に示す制御部１００からの指令により、シリンジ押子２０２の押子フランジ２０５を、シリンジ本体２０１に対して相対的にＴ方向に沿って少しずつ押す。これにより、シリンジ本体２０１内の薬剤をチューブ２０３と留置針２０４を通じて、患者Ｐに対して、通常、注入速度０．１〜１５０ｍＬ／ｈの範囲で、±１〜３％以内の精度で比較的長時間かけて送液することができる。
なお、図１と図２におけるＸ方向、Ｙ方向、Ｚ方向は互いに直交しており、Ｚ方向は上下方向である。
【００１９】
図２に示す表示部３は、各種の情報をカラー表示できる例えばカラー液晶表示装置である。表示部３における薬剤情報の表示内容例は、図３に示している。この表示部３の表示例は、一例であるので、特に限定されない。
図３に例示するように、表示部３は、例えば閉塞圧レベル表示３Ａ，薬剤投与の予定量（ｍＬ）の表示欄３Ｂ、薬剤投与の積算量（ｍＬ）の表示欄３Ｃ、充電履歴の表示欄３Ｄ、電圧低下の表示欄３Ｅ、注入量（ｍＬ）の表示欄３Ｆの他に、薬剤ライブラリに関する表示欄２０をカラー表示するようになっている。なお、図１と図２に示す表示部３の表示内容の図示例では、図面の簡単化のために省略している。
【００２０】
ここで、薬剤ライブラリに関する表示欄２０における表示例を、図３と図４〜図６を参照して説明する。
図４〜図６は、薬剤ライブラリに関する表示欄２０における複数の表示例を示している。
薬剤ライブラリとは、薬剤名を含む薬剤の投与設定群のことであり、病院毎にカスタマイズ（特注）されて、ホストコンピュータ等の薬剤ライブラリデータベース（ＤＢ）に予め、更新、変更可能に登録しておき、シリンジポンプ１には、通信ポート１４０を介して、使用頻度の高い複数の薬剤を予め薬剤ライブラリから薬剤情報を含む薬剤を選択して不揮発性メモリ１０３（後述）に記憶しておき、その中から医療従事者が選択して投与する際に用いられる。図３と図４（Ａ）に示すように、薬剤ライブラリに関する表示欄２０には、薬剤ライブラリ選択メニュー２１が表示されている。図示例では、薬剤ライブラリ選択メニュー２１には、上から順番に、第１薬剤の名称欄２２、第２薬剤の名称欄２３、そして第３薬剤の名称欄２４が表示されている。この第１薬剤の名称欄２２には、例えば抗がん剤の名称が記載され、第２薬剤の名称欄２３には、例えば輸血剤の名称が記載され、第３薬剤の名称欄２４には、例えば栄養剤の名称が記載される。
【００２１】
そして、この第１薬剤の名称欄２２の表示色は、「危険」を感じやすい色が用いられ、特別に注意を引く色が選択使用される。このような色としては、例えば赤色であり、この赤色は薬剤としては注意喚起が必要な危険な薬剤であることを示している。第２薬剤の名称欄２３の表示色は、第１の薬剤よりも危険度が低いことを感得させる色が選択され、例えば黄色（橙色）であり、この黄色は赤色の薬剤よりはやや危険ではない薬剤であることを示している。そして、第３薬剤の名称欄２４の表示色は、第２の薬剤よりもさらに危険度が低いことを感得させる色が選択され、例えば青色であり、この青色は比較的危険ではない薬剤を示している。すなわち、第１薬剤の名称欄２２、第２薬剤の名称欄２３、そして第３薬剤の名称欄２４は、互いに異なる色に色分けされており、色にそれぞれ危険性に関する程度の意味を持たせることで、医療従事者や患者が、それぞれの薬剤がどの程度危険であるかを、視覚的に注意喚起して、確実に区別して認識できるようになっている。
また、当該病院の病棟ごとに、過去の投与実績から危険性が高いとされた薬剤についても上述のように危険度に応じて赤色、黄色、青色で表示するようにしたり、新規に薬剤ライブラリに登録された薬剤についても、赤色、黄色、青色での表示の他に、その旨の注意を喚起する色を付加して表示するようにしてもよい。
このため、医療従事者は、薬剤を使用する際に注意喚起を必要とする薬剤であることを目視で確認することができる。
【００２２】
医療従事者が、図２に示すメニュー選択ボタン４Ｅを押して、図４（Ａ）に示す薬剤ライブラリ選択メニュー２１の中の例えば第１薬剤の名称欄２２を選択すると、図４（Ｂ）に示すように、薬剤ライブラリに関する表示欄２０には、第１薬剤の名称欄２２の送液量表示２２Ａと、「送液中」の表示２２Ｂと、第１薬剤の名称欄２２を有するカラー表示部３２等が表示される。
また、医療従事者が図２に示すメニュー選択ボタン４Ｅを押して、図５（Ａ）に示す薬剤ライブラリ選択メニュー２１の中の第２薬剤の名称欄２３を選択しても、図５（Ｂ）に示すように、薬剤ライブラリに関する表示欄２０には、第２薬剤の名称欄２３の送液量表示２３Ａと、「送液中」の表示２３Ｂと、第２薬剤の名称欄２３を有するカラー表示部３３等が表示される。
また、医療従事者が図２に示すメニュー選択ボタン４Ｅを押して、図６（Ａ）に示す薬剤ライブラリ選択メニュー２１の中の第３薬剤の名称欄２４を選択しても、図６（Ｂ）に示すように、薬剤ライブラリに関する表示欄２０には、第３薬剤の名称欄２４の送液量表示２４Ａと、「送液中」の表示２４Ｂと、第３薬剤の名称欄２４を有するカラー表示部３４等が表示される。
なお、図４〜図６に示す送液量の数値は、例示であり、必ずしも実際に送液される量を示すものではない。これにより、医療従事者は、表示部３に表示された薬剤ライブラリに関する表示欄２０を目視で確認することで、複数の薬剤の名称と対応する表示色を確認することができる。
【００２３】
特に、図４（Ｃ）に示すように、赤色表示で危険な第１薬剤を使用している場合には、さらに医療従事者に対して注意喚起を促すために、図４（Ｃ）に示す薬剤ライブラリに関する表示欄２０の斜線で示す背景領域４０を、図４（Ｂ）に示す背景領域３９とは変えて表示させることが望ましい。この図４（Ｃ）に示す薬剤ライブラリに関する表示欄２０の斜線で示す背景領域４０を、図４（Ｂ）に示す背景領域３９と変えるやり方としては、背景領域４０は、例えば背景色を変更したり、点滅表示させることができる。これに対して、図５（Ｃ）に示す黄色の第２薬剤の場合や、図６（Ｃ）に示す青色の第３薬剤の場合には、背景領域４１には特に変更はしなくてよい。
これにより、医療従事者は薬剤を使用する際に注意喚起を必要とする薬剤であることを目視で確認する際に、薬剤の名称欄の背景の表示状態が変わるので、この薬剤が注意喚起を必要とすることをさらに目視で確認することができる。
【００２４】
このような赤色表示で危険な第１薬剤は、例えば粘度が高くチューブ内を閉塞し易い薬剤や、常温では溶存酸素が出てきて気泡が混入し易く、低温管理する必要がある薬剤等であり、薬剤の特性に合わせて色表示を変えることができる。
また、使用対象である薬剤ライブラリに関して、その薬剤ライブラリの使用履歴から、過去にこの薬剤ライブラリが使用されたときに警報が起きたことがある場合には、図４（Ｃ）に示すように薬剤ライブラリに関する表示欄２０の斜線で示す背景領域４０を、例えば背景色を変更したり、点滅表示させることで、医療従事者に対して、視覚的に注意喚起して、確実に区別して認識できる。
【００２５】
図７は、上述した複数種類の大きさのシリンジの例を示す斜視図である。
図１と図２では、最も薬剤の収容量が大きいシリンジ２００が固定されている例を示している。図７（Ａ）は、最も薬剤の収容量が大きいシリンジ２００は、シリンジ本体２０１と、シリンジ押子２０２を有しており、シリンジ本体２０１は本体フランジ２０９を有し、シリンジ押子２０２は押子フランジ２０５を有している。シリンジ本体２０１には、薬剤の目盛２１０が形成されている。シリンジ本体２０１の出口部２１１には、フレキシブルなチューブ２０３の一端部が着脱可能に接続される。
図７（Ｂ）は、薬剤の収容量が中くらいのシリンジ３００は、シリンジ本体３０１と、シリンジ押子３０２を有しており、シリンジ本体３０１は本体フランジ３０９を有し、シリンジ押子３０２は押子フランジ３０５を有している。シリンジ本体３０１には、薬剤の目盛３１０が形成されている。シリンジ本体３０１の出口部３１１には、フレキシブルなチューブ２０３の一端部が着脱可能に接続される。
【００２６】
図７（Ｃ）は、最も薬剤の収容量が小さいシリンジ４００は、シリンジ本体４０１と、シリンジ押子４０２を有しており、シリンジ本体４０１は本体フランジ４０９を有し、シリンジ押子２０２は押子フランジ２０５を有している。シリンジ本体４０１には、薬剤の目盛４１０が形成されている。シリンジ本体４０１の出口部４１１には、フレキシブルなチューブ２０３の一端部が着脱可能に接続される。
図７（Ａ）に示すシリンジ２００は、例えば薬剤の収容量が５０ｍＬであり、図７（Ｂ）に示すシリンジ３００は、例えば薬剤の収容量が１０ｍＬ、２０ｍＬ、３０ｍＬであり、図７（Ｃ）に示すシリンジ４００は、例えば薬剤の収容量が２．５ｍＬ、５ｍＬである。シリンジ３００，４００は、図１と図２に示すシリンジ２００と同様にして、収容部８のチューブ固定部９内に収容して固定して用いることができる。
【００２７】
図７（Ａ）に示す最も薬剤の収容量が大きいシリンジ２００のシリンジ本体２０１には、赤色の薬剤識別ラベル５２が貼り付けられ、図７（Ｂ）に示すシリンジ３００のシリンジ本体３０１には、黄色の薬剤識別ラベル５３が貼り付けられ、そして図７（Ｂ）に示すシリンジ４００のシリンジ本体４０１には、青色の薬剤識別ラベル５４が貼り付けられている。すなわち、図４（Ａ）と図７（Ａ）〜図７（Ｃ）を参照すると、第１薬剤の名称欄２２の第１薬剤の名称と赤色と、薬剤識別ラベル５２の第１薬剤の名称と赤色と、を一致させている。同様にして、第２薬剤の名称欄２３の第２薬剤の名称と黄色と、薬剤識別ラベル５３の第２薬剤の名称と黄色と、を一致させている。そして、第３薬剤の名称欄２４の第３薬剤の名称と青色と、薬剤識別ラベル５４の第３薬剤の名称と青色と、を一致させている。
これにより、医療従事者に対して、薬剤ライブラリ選択メニュー２１に表示されている薬剤の種類と、実際に使用しているシリンジ２００，３００，４００内に充填されている薬剤の種類が、一致しているかどうかを視覚的に注意喚起して、確実に区別して使用できるようになっている。
【００２８】
次に、図８を参照して、図１と図２に示すシリンジポンプ１における電気な構成例を説明する。
図８において、シリンジポンプ１は、全体的な動作の判断、制御を行う制御部（コンピュータ）１００を有している。この制御部１００は、例えばワンチップのマイクロコンピュータであり、ＲＯＭ（読み出し専用メモリ）１０１，ＲＡＭ（ランダムアクセスメモリ）１０２、不揮発性メモリ１０３、そしてクロック１０４を有する。クロック１０４は、所定の操作により現在時刻の修正ができ、現在時刻の取得や、所定の送液作業の経過時間の計測、送液の速度制御の基準時間の計測等ができる。
【００２９】
図８に示す制御部１００は、電源スイッチボタン４Ａと、スイッチ１１１が接続されている。スイッチ１１１は、電源コンバータ部１１２と例えばリチウムイオン電池のような充電池１１３を切り換えることで、電源コンバータ部１１２と充電池１１３のいずれかから制御部１００に電源供給する。電源コンバータ部１１２は、コンセント１１４を介して商用交流電源１１５に接続されている。
図８において、収容部８内には、一対の検出スイッチ１２０，１２１が配置されている。検出スイッチ１２０，１２１は、シリンジ２００のシリンジ本体２０１が、収容部８内に正しく配置されているかどうかを検知して、制御部１００に通知する。クランプセンサ１２２は、クランプ５の位置状態を検知することで、シリンジ本体２０１がクランプ５により確実にクランプされているかどうかを、制御部１００に通知する。
【００３０】
シリンジ押子駆動部７のモータ１３３は、制御部１００の指令によりモータドライバ１３４により駆動されると、送りネジ１３５を回転させてスライダ１０をＴ方向に移動させる。これにより、スライダ１０は、シリンジ押子２０２をＴ方向に押圧して、図２に示すシリンジ本体２０１内の薬剤を、チューブ２０３を通じて患者Ｐに対して留置針２０４を介して正確に送液する。
【００３１】
図８において、表示部ドライバ１３０は、制御部１００の指令により表示部３を駆動して、図３〜図６に例示する薬剤情報等を表示するようになっている。スピーカ１３１は、制御部１００の指令により各種の警報内容を音声により告知することができる。
制御部１００は、通信ポート１４０を通じて、デスクトップコンピュータのようなコンピュータ１４１に対して双方向に通信可能である。このコンピュータ１４１は、薬剤データベース（ＤＢ）１５０に接続されており、薬剤データベース１５０に格納されている薬剤情報ＭＦ（薬剤名、薬剤メーカー、注入量（ｍＬ）の上限・下限値、注入速度の（ｍＬ／ｈ）の上限・下限値、禁忌情報）は、コンピュータ１４１を介して、制御部１００の不揮発性メモリ１０３に記憶させることができる。制御部１００は、記憶した薬剤情報ＭＦを基にして、図３〜図６に例示する薬剤情報ＭＦ等を表示することができる。
図８において、早送りスイッチボタン４Ｂ、開始スイッチボタン４Ｃ、停止スイッチボタン４Ｄ、メニュー選択ボタン４Ｅは、制御部１００に電気的に接続されている。
【００３２】
次に、上述したシリンジポンプ１を使用する際の動作例を説明する。
図８に示す薬剤ライブラリのデータベース１５０には、例えば３０００種類の薬剤が用意されている。図８に示すシリンジポンプ１の制御部１００は、コンピュータ１４１を介して、このシリンジポンプ１を使用する病棟毎に関する薬剤情報ＭＦを、この薬剤ライブラリ１５０から選択して、コンピュータ１４１と通信ポート１４０を通じて、不揮発性メモリ１０３に取り込む。あるいは、使用頻度の高い複数の薬剤情報は、予め薬剤ライブラリ１５０から薬剤情報を選択して通信ポート１４０を通じて、不揮発性メモリ１０３に取り込んでおく。この場合、病棟毎に使用頻度は異なるので、薬剤ライブラリのデータベース１５０を全部の病棟に共通の記憶領域、病棟毎の記憶領域に分けておくと、シリンジポンプ１へのダウンロードが容易となり、薬剤ライブラリのデータベース１５０における、データベースの変更、更新、削除が容易になる。
こうして、例えば、制御部１００は、記憶した薬剤情報ＭＦを基にして、図３〜図６に例示する薬剤情報ＭＦ等が表示部３において表示できる。
具体的な例として、医療従事者が、図１と図２に示すシリンジポンプ１を用いて、第１薬剤として抗がん剤、第２薬剤として輸血剤、そして第３薬剤としてビタミン含有剤を、通常、注入速度０．１〜１５０ｍＬ／ｈの範囲で、±１〜３％以内の精度で比較的長時間持続注入する場合を説明する。このため、図３に示す薬剤情報ＭＦに含まれている薬剤ライブラリに関する表示欄２０では、第１薬剤の名称欄２２に抗がん剤の名称が記載され、第２薬剤の名称欄２３に輸血剤の名称が記載され、第３薬剤の名称欄２４にビタミン含有剤の名称が記載される。
【００３３】
一方、図７（Ａ）に示す最も薬剤の収容量が大きいシリンジ２００のシリンジ本体２０１には、赤色の薬剤識別ラベル５２が貼り付けられており、シリンジ本体２０１内には第１薬剤である抗がん剤が充填されている。図７（Ｂ）に示すシリンジ３００のシリンジ本体３０１には、黄色の薬剤識別ラベル５３が貼り付けられており、シリンジ本体３０１内には第２薬剤である輸血剤が充填されている。そして、図７（Ｃ）に示すシリンジ４００のシリンジ本体４０１には、青色の薬剤識別ラベル５４が貼り付けられており、シリンジ本体４０１内には第３薬剤である栄養剤が充填されている。
【００３４】
すなわち、図４（Ａ）と図７（Ａ）〜図７（Ｃ）を参照すると、第１薬剤の名称欄２２と薬剤識別ラベル５２を予め赤色に一致させ、第２薬剤の名称欄２３と薬剤識別ラベル５３を予め黄色に一致させ、そして第３薬剤の名称欄２４と薬剤識別ラベル５４を予め青色に一致させている。これにより、医療従事者は、薬剤ライブラリ選択メニュー２１に表示されている薬剤の種類と、実際に使用するシリンジ２００，３００，４００内に充填されている薬剤の種類が、それぞれ一致しているかどうかを視覚的に注意喚起して、薬剤を選択する際に確実に区別して認識できる。
【００３５】
図３と図４（Ａ）に示す第１薬剤を、図２（Ｂ）に示すチューブ２０３と留置針２０４を介して患者Ｐに対して投与する場合には、医療従事者は、図２（Ｂ）に示すシリンジ２００をシリンジ設定部６に設定してクランプ５を用いて固定する。図２（Ｂ）のチューブ２０３はチューブ固定部９にはめ込んで固定する。
この際に、医療従事者は、図４（Ａ）に示す薬剤ライブラリ選択メニュー２１に表示された第１薬剤の名称欄２２の第１薬剤の名称の赤色と、図１と図２に示すシリンジ２００の薬剤識別ラベル５２に記載されている第１薬剤の名称と赤色が、一致しているかを目視で確認することができる。そして、メニュー選択ボタン４Ｅを押して、図４（Ａ）に示す薬剤ライブラリ選択メニュー２１の中の第１薬剤の名称欄２２を選択して、開始スイッチボタン４Ｃを押して、スライダ１０が図２（Ｂ）に示す押子フランジ３０５をＴ方向に押すことで、シリンジ本体２０１内の第１薬剤を、図２（Ｂ）に示すチューブ２０３と留置針２０４を介して患者Ｐに対して送液することができる。
【００３６】
このように、第１薬剤を送液中は、図４（Ｂ）に示すように、薬剤ライブラリに関する表示欄２０には、第１薬剤の名称欄２２の送液量表示２２Ａと、「送液中」の表示２２Ｂと、カラー表示部３２が表示され、しかも図４（Ｃ）に示すように、赤色表示で危険な第１薬剤を使用しているので、さらに医療従事者に対して注意喚起を促すために、図４（Ｃ）に示す薬剤ライブラリに関する表示欄２０の斜線で示す背景領域４０を、例えば表示点滅させて表示させることができる。
これにより、医療従事者に対して、赤色の第１薬剤を送液していることをさらに視覚的に注意喚起することができる。第１薬剤を送液が終了すると、医療従事者は、図２（Ｂ）に示すクランプ５による固定を解除して、シリンジ２００をシリンジ設定部６から外す。
【００３７】
また、図３と図５（Ａ）に示す第２薬剤を、図２（Ｂ）に示すチューブ２０３と留置針２０４を介して患者Ｐに対して投与する場合には、医療従事者は、図７（Ｂ）に示すシリンジ３００を図２（Ｂ）のシリンジ設定部６に設定してクランプ５を用いて固定する。図２（Ｂ）のチューブ２０３はチューブ固定部９にはめ込んで固定する。この際に、医療従事者は、図５（Ａ）に示す薬剤ライブラリ選択メニュー２１に表示された第２薬剤の名称欄２３の第２薬剤の名称の黄色と、図７（Ｂ）に示す薬剤識別ラベル５３に記載されている第２薬剤の名称と黄色が、一致しているかを目視で確認することができる。そして、メニュー選択ボタン４Ｅを押して、図５（Ａ）に示す薬剤ライブラリ選択メニュー２１の中の第２薬剤の名称欄２３を選択すると、開始スイッチボタン４Ｃを押して、図２に示すスライダ１０は図７（Ｂ）に示す押子フランジ３０５をＴ方向に押すことで、シリンジ本体３０１内の第２薬剤を、図２（Ｂ）に示すチューブ２０３と留置針２０４を介して患者Ｐに対して送液することができる。
【００３８】
このように、第２薬剤を送液中は、図５（Ｂ）と図５（Ｃ）に示すように、薬剤ライブラリに関する表示欄２０には、第２薬剤の名称欄２３の送液量表示２３Ａと、「送液中」の表示２３Ｂと、カラー表示部３３が表示される。これにより、医療従事者に対して、黄色の第２薬剤を送液していることをさらに視覚的に注意喚起することができる。第２薬剤を送液が終了すると、医療従事者は、図２（Ｂ）に示すクランプ５による固定を解除して、シリンジ３００をシリンジ設定部６から外す。
【００３９】
さらに、図３と図６（Ａ）に示す第３薬剤を、図２（Ｂ）に示すチューブ２０３と留置針２０４を介して患者Ｐに対して投与する場合には、医療従事者は、図７（Ｃ）に示すシリンジ４００を図２（Ｂ）のシリンジ設定部６に設定してクランプ５を用いて固定する。図２（Ｂ）のチューブ２０３はチューブ固定部９にはめ込んで固定する。この際に、医療従事者は、図６（Ａ）に示す薬剤ライブラリ選択メニュー２１に表示された第３薬剤の名称欄２４の第２薬剤の名称の青色と、図７（Ｃ）に示す薬剤識別ラベル５４に記載されている第３薬剤の名称と青色が、一致しているかを目視で確認することができる。そして、メニュー選択ボタン４Ｅを押して、図６（Ａ）に示す薬剤ライブラリ選択メニュー２１の中の第３薬剤の名称欄２４を選択すると、開始スイッチボタン４Ｃを押して、図７（Ｃ）に示す押子フランジ４０５をＴ方向に押すことで、シリンジ本体４０１内の第３薬剤を、図２（Ｂ）に示すチューブ２０３と留置針２０４を介して患者Ｐに対して送液することができる。
【００４０】
このように、第３薬剤を送液中は、図６（Ｂ）と図６（Ｃ）に示すように、薬剤ライブラリに関する表示欄２０には、第３薬剤の名称欄２４の送液量表示２４Ａと、「送液中」の表示２４Ｂと、カラー表示部３４が表示される。これにより、医療従事者に対して、青色の第３薬剤を送液していることをさらに視覚的に注意喚起することができる。第２薬剤を送液が終了すると、医療従事者は、図２（Ｂ）に示すクランプ５による固定を解除して、シリンジ４００をシリンジ設定部６から外す。
【００４１】
以上説明したように、病棟毎においてシリンジポンプ１を用いることにより、医療従事者が、この病棟毎において必要とする複数種類の薬剤を視覚的に確認にしながら確実に選択でき、複数種類の薬剤の選択ミスを視覚的に防ぐことができる。すなわち、医療従事者が、シリンジポンプ１において必要とする薬剤を選択する際に、識別用の色分けを施した表示色で表示された薬剤の名称欄を目視で確認することで、薬剤の選択ミスを視覚的に確実に防ぐことができる。
図９は、図１と図２に示す複数台のシリンジポンプ１を、設定スタンド７０に搭載した例を示しており、必要に応じて複数台のシリンジポンプ１を同時に使用することができる。
【００４２】
本発明の実施形態のシリンジポンプ１は、図７に示す例えば３種類の大きさの薬剤を収容するシリンジ２００，３００，４００を着脱可能に設定するようにしているが、これに限らず２種類あるいは４種類以上のシリンジを設定することもできる。同様にして、図３に示すように、表示部３には、第１薬剤の名称欄から第３薬剤の名称欄を表示している例を示しているが、２種類あるいは４種類以上の薬剤の名称欄を表示するようにしても良い。
ところで、本発明は上記実施形態であるシリンジポンプに限定されず、本発明は輸液バッグに収納された薬剤を、設定された注入速度（ｍＬ／ｈ）、注入量（ｍＬ）で患者に送液する輸液ポンプ等様々な修正と変更が可能であり、特許請求の範囲に記載された範囲で種々の変形が可能である。医療用ポンプとして、輸液バッグが適用される輸液ポンプの場合、輸液バッグに、色別された薬剤識別ラベルが貼付けられる。
上述では、危険な第１薬剤の色を赤色、第２薬剤の色を黄色、第３第２薬剤の色を青い色としたが、これらの色分けに限定されるものではなく、各医療施設で任意に色分けすることができる。
【符号の説明】
【００４３】
１・・・シリンジポンプ、２・・・本体カバー、２Ａ・・・本体カバーの上部分、２Ｂ・・・本体カバーの下部分、３・・・表示部、４・・・操作パネル部、４Ｅ・・・メニュー選択ボタン、５・・・クランプ、６・・・シリンジ設定部、７・・・シリンジ押子駆動部、８・・・収容部、９・・・チューブ固定部、２０・・・薬剤ライブラリに関する表示欄、２１・・・薬剤ライブラリ選択メニュー、２２・・・第１薬剤の名称欄、２２Ａ・・・第１薬剤の名称欄の送液量表示、２２Ｂ・・・「送液中」の表示、２３・・・第２薬剤の名称欄、２３Ａ・・・第２薬剤の名称欄の送液量表示、２３Ｂ・・・「送液中」の表示、２４・・・第３薬剤の名称欄、２４Ａ・・・第３薬剤の名称欄の送液量表示、２４Ｂ・・・「送液中」の表示、３２、３３，３４・・・カラー表示部、４０・・・薬剤ライブラリに関する表示欄２０の斜線で示す背景領域、５２，５３，５４・・・薬剤識別ラベル、１００・・・制御部、２００，３００，４００・・・シリンジ、２０１，３０１，４０１・・・シリンジ本体、２０２，３０２，４０２・・・シリンジ押子
【図１】
0005881299.tif 000002
【図２】
0005881299.tif 000003
【図３】
0005881299.tif 000004
【図４】
0005881299.tif 000005
【図５】
0005881299.tif 000006
【図６】
0005881299.tif 000007
【図７】
0005881299.tif 000008
【図８】
0005881299.tif 000009
【図９】
0005881299.tif 000010